(57)【要約】【課題】多くの人が一堂に集まってゲームを楽しむことのできる大型であって車両に搭載されて運搬されるゲーム機器を搬送容易にして簡便に搬送することができるようにする。【解決手段】ラッシングレールの嵌め込み用孔に嵌め込み用部材が嵌め込まれたラッシング帯が設けられ、平面状の台座とこの台座の一方側の上面に載置されて一体とされ、内部に空間部を備えた箱状体とから台車が形成される。台座の他方側にゲーム機器の天板が載置され、箱状体の内部の空間部に天板の脚部およびゲーム機器の附属品が収納された状態で、天板が帯体によって箱状体に固定される。箱状体はラッシングレールに沿って配設されてラッシング帯によってラッシングレールに固定される。【選択図】図１
2008120322.tif 000002
【特許請求の範囲】
【請求項１】
トラック等の車両の荷室の内面のパネルに車両の車軸方向に取り付けられ、整列して多数の嵌込み用孔が形成されたラッシングレールを備えた車両搭載用のゲーム機器搬送機器において、
前記ラッシングレールの嵌め込み用孔に嵌め込み用部材が嵌め込まれたラッシング帯が設けられ、平面状の台座とこの台座の一方側の上面に載置されて一体とされ、内部に空間部を備えた箱状体とから台車が形成され、前記箱状体の他方側の台座上にゲーム機器の天板が載置され、前記箱状体の内部の空間部に天板の脚部およびゲーム機器の附属品が収納された状態で、前記天板が帯体によって前記箱状体に固定されており、かつ前記箱状体は前記ラッシングレールに沿って配設されて前記ラッシング帯によって前記ラッシングレールに固定されることを特徴とする車両搭載用のゲーム機器搬送機器。
【請求項２】
請求項１において、前記台座には前記帯体を貫通させる貫通孔が設けられることを特徴とする車両搭載用のゲーム機器搬送機器。
【請求項３】
請求項１または２に記載した車両搭載用のゲーム機器搬送機器を搭載した介護予防支援車両。
【発明の詳細な説明】
【技術分野】
【０００１】
本発明は、車両搭載用のゲーム機器搬送機器およびこれを搭載した介護予防支援車両に関する。
【背景技術】
【０００２】
介護予防のために各種のイベントが企画され、このイベントに使用する諸機器が介護予防支援車両に搭載され、イベント会場に搬送されることが行われている。
【０００３】
特許文献１には、遊技機を移動させるための遊技機運搬台において、前記遊技機は下部に固定孔を有し、かつ１対の設置棚レール上に載置され、該設置棚レールは側部に溝を有するとともに上部に転動部材を有するものであって、キャスタと１対の基台レールとを備えた基台であって、前記基台レールは前記設置棚レールに接続可能で、かつ、上部に転動部材を有するものと、前記溝と係合可能に前記基台に支持された１対の係合部材と、前記固定孔に挿脱可能に前記基台に支持された固定棒と、前記係合部材と前記固定棒とを運動させる駆動機構であって、前記基台に支持されており、前記係合部材を前記溝と係合させる方向に運動させると同時に前記固定棒を前記固定孔から抜き外す方向に運動させ、前記係合部材を前記溝から外す方向に運動させると同時に前記固定棒を前記固定孔に挿入させる方向に運動させる動作が可能なものとを、有することを特徴とする遊技機運搬台が記載されている。
【０００４】
特許文献２には、トラックの荷台上に着脱可能に取付ける断面ほぼＬ字形の台座端を同台座の垂直片頂部付近に枢着され、他端がプロペラ運搬時上記台座の水平片自由端部にピン結合されるプロペラ固定台、同固定台に取付けられたプロペラ固定部材及び上記プロペラ固定台の自由端部と台座水平片との間に着脱可能に介装されプロペラを上記プロペラ固定台に固定するとき同固定台をほぼ水平に保持しプロペラ固定後取外ずされる支持金具とからなることを特徴とするプロペラ運搬台が記載されている。
【０００５】
特許文献３には、荷物搬送用車両の荷台等の両内側壁に略水平に延在させたラッシングレールの任意の係合孔に、ベルト端末に設けた係合金具を着脱自在に係合させることで荷台上の被搬送物を固定するラッシングベルトにおいて、本体部分に貫通口部が開設され、この貫通口部を回避した部位に設けた係合片が前記係合孔に係脱自在に係合される係合金具と、前記係合金具の貫通口部に着脱自在に挿入可能で、一端に前記ラッシングベルトの取付孔を有すると共に、他端に前記ラッシングレールの外表面に当接し得る支持片を有する係合部材とからなり、前記ラッシングベルトの使用時に、該ベルトを介して前記係合部材に伝わる荷重を、前記係合金具と支持片とにより前記ラッシングレールへ分散支持させるよう構成したことを特徴とするラッシングベルトの係合構造が記載されている。
【０００６】
【特許文献１】特開平３−１９１９７８号公報
【特許文献２】特開昭５６−１７７７８号公報
【特許文献３】特開２００５−２４７２２１号公報
【発明の開示】
【発明が解決しようとする課題】
【０００７】
前述したように、介護予防支援のために各種のイベント会場にイベントに使用する諸機器が介護予防支援車両に搭載され、搬送することが行われている。
イベントの１つに遊技機あるいはゲーム機（以後、「ゲーム機器」として説明する。）を使用して人間に新鮮な喜びを与え、楽しく遊んでもらって介護予防の効果を達成することがある。特に、ゲーム機器にあってもゲームの内容が形成してある天板が脚体（足部）によって支持される構成の大形のゲーム機器は多くの人が一緒にゲームを楽しむことができ、介護予防にとって重要な機器である。
【０００８】
本発明は、かかる点に鑑み多くの人が一堂に集まってゲームを楽しむことのできる大型であって、車両に搭載されて運搬されるゲーム機器を搬送容易にして簡便構造の機器搬送機器およびこれを搭載した介護予防支援車両を提供することを目的とする。
【課題を解決するための手段】
【０００９】
本発明は、トラック等の車両の荷室の内面のパネルに車両の車軸方向に取り付けられ、整列して多数の嵌込み用孔が形成されたラッシングレールを備えた車両搭載用のゲーム機器搬送機器において、
前記ラッシングレールの嵌め込み用孔に嵌め込み用部材が嵌め込まれたラッシング帯が設けられ、平面状の台座とこの台座の一方側の上面に載置されて一体とされ、内部に空間部を備えた箱状体とから台車が形成され、前記箱状体の他方側の台座上にゲーム機器の天板が載置され、前記箱状体の内部の空間部に天板の脚部およびゲーム機器の附属品が収納された状態で、前記天板が帯体によって前記箱状体に固定されており、かつ前記箱状体は前記ラッシングレールに沿って配設されて前記ラッシング帯によって前記ラッシングレールに固定されることを特徴とする車両搭載用のゲーム機器搬送機器を提供する。
【００１０】
前述のゲーム機器搬送機器は、前記台座には前記帯体を貫通させる貫通孔が設けられることを特徴とする。
【００１１】
また、本発明は前述した車両搭載用のゲーム機器搬送機器を搭載した介護予防支援車両を提供する。
なお、ゲーム機器としては、ルーレット，ブラックジャック（登録商標），バカラ，シックボー，ビッグシックス，クラップスなどがよく知られている。
【発明の効果】
【００１２】
前述のように、本発明は、車両に備えたラッシングレールを使用したゲーム機器搬送機器としていることによって、多くの人が一堂に集まってゲームを楽しむことのできる大型であって、車両に搭載されて運搬されるゲーム機器を搬送容易にして簡便構造のゲーム機器搬送機器およびこれを搭載した介護予防支援車両を提供することができる。
【発明を実施するための最良の形態】
【００１３】
以下、本発明の実施例を図面に基づいて説明する。
【実施例】
【００１４】
図１は、本発明の実施例であるゲーム機器搬送機器１００およびこれを搭載した介護予防支援車両２００（以下、「車両」という。）を示す。図１において、ゲーム機器搬送機器１００は、車両２００の荷室２０１に搭載されて搬送される。
図１において、ゲーム機器搬送機器１００は、トラック等の車両２００の荷室２０１の内面のパネル２０２に車両１の車軸方向に取付けられ、整列して多数の嵌込み用孔が形成されたラッシングレール１に固定される。
【００１５】
図２に、ゲーム機器搬送機器１００の詳細を示す。ゲーム機器搬送機器１００は、荷室２０１の内面のパネル２０２に車両１の車軸方向に取り付けられた１あるいは２個のラッシングレール１、ラッシングレール１の嵌め込み孔４２に嵌め込み部材（ロック部）５３が嵌め込まれるようにしたラッシング帯３および台車５から構成される。
【００１６】
台車５は、平面状の台座６とこの台座６の一方側の上面に（図面にあっては右方側）に載置した箱状体７から形成され、台座６の下面には車８が取りつけてある。箱状体７は、内部に、上方に延びて開口した空間部９を備えて台座６の右側半分の領域を占めて載置され、左側半分の領域は載置部を形成する空白部１１とされる。箱状体７は台座６に対して車軸方向端面およびラッシングレール側端面は面一とされて一体化してある。一体化方法は公知の各種手段を採用できる。
【００１７】
台座６のラッシングレール反対側の端面近くに貫通孔１３が設けられ、空間部９に面した台座６には他方の貫通孔１４が設けられている。図１では目に見えないので貫通孔１４を点線で示してある。
【００１８】
箱状体７の側方面１５の上方部に上述したラッシング帯３が固定されラッシング帯３はラッシングレール１側に延びるようにしてある。ラッシング帯３は、一方の端部（図では左方）には固定部５２を備え、他方の端部（図では右方）には嵌め込み部材５３を備える。中間に長さ調節部５４を設けるようにしてもよい。このように構成されたラッシング帯３が箱状体１７の他の側方面１５Ａにも形成してある。この図では、１つの側方面１５に１つのラッシング帯３を設けることを示してあるが、ラッシングレール１を平行に２本設けてそれぞれのラッシングレール１に係合するようにラッシング帯３を設けることができる。また、図ではラッシング帯３を箱状体７に固定する形態としているが、箱状体７の外面に沿わせる形態で１本のラッシング帯を設けるようにしてもよい。この形態にあってはラッシング帯案内部を箱状体７の外面に形成しておくのがよい。
【００１９】
このようにして構成された台車５は、箱状体７の一面側がラッシングレール１に沿うようにしてラッシングレール１の近くに配置され得、台座６の上面にゲーム機器２０の天板２１が複数個立て掛けて載置され得る。すなわち箱状体７が載置されない他側に形成される空白部１１を利用して天板２１が載置される。天板２１は、貫通孔１３，１４を貫通する帯体３１によって台座６上にしっかりと固定される。クロスする形で他の帯体３２を設け、天板２１同士をしっかりと固定するのがよい。
【００２０】
次に図４−図９を使用して各部品の構成および台車５への載置方法について説明する。
図４は２種類のゲーム機器２０（２０Ａ，２０Ｂ）の分割方法および載置方法を示す。
ゲーム機器２０Ａは、天板２１が２つに分割（２１ＡＡ，２１ＢＢ）され、ホイル２１ＣＣは取り出され、更に天板２１から２つの脚体（脚部，足部）２２（２２Ａ，２２Ｂ，２つの脚部を連結する中間のつなぎ部材２２Ｃ）が分解される。
【００２１】
ゲーム機器２０Ｂは、天板２１から２つの脚体２２Ｃ，２２Ｄが分離される。また、このゲーム機器２０Ｂにはチップおよびチップ収容ケース２３が使用され、チップ収容ケース２３にチップが収納される。また、附属品としてのアクセサリーがある。これらのゲーム機器２１の構成は周知であり、天板２１と脚部２２が分離され得るようになっていることも周知である。
【００２２】
図４に示すゲーム機器２０は、天板２１の周囲に多数の人が集まって１つのゲームに参加するものであるという特徴を有する。そして、これらのゲーム機器２１は、天板２１と脚部２２に分解されるという構成になっている。
【００２３】
図４に示すように、分解された２つの天板２１（２１ＡＡ，２１ＡＢ）は集められて台座６上（すなわち空白部１１）に載置され、帯体３１，３２によって箱状体７に固定される。ホイール２１ＣＣは水平にして運搬する必要があるため別の専用台車（図示せず）が載置される。
【００２４】
図５は、図４に次いで、箱状体７の空間部９には分解された脚体２１および２２、天板２１の一部あるいはチップ収容ケース、アクセサリー等のゲーム附属品が収納される。
分解された脚体２１、天板２１の一部あるいはゲーム附属品が空間部９に収納されると、ラッシング帯３に箱状体７、すなわち台座５はしっかりとラッシングレール１に固定される。
【００２５】
図６は、ラッシングレール１の構成を示す。ラッシングレール１は、本体４１、本体４１上にその長手方向（すなわち組立てた時に、車軸方向）に規則正しく多数穿けられた嵌め込み孔４２、両端に形成したラッシングレール固定部４３，４４から構成される。ラッシングレール１は、前述したように、車両１の荷室１１の内面のパネル２０２に車両１の車軸方向にラッシングレール固定部４３，４４を介して固定される。
【００２６】
図７は、ラッシング帯３の構成を示す。前述したように、ラッシング帯３は帯本体５１の一端側に形成した固定部５２、他端側に形成した嵌め込み部材５３から構成される。
【００２７】
図８は、ラッシングレール１に設けたフック入れ孔（嵌め込み孔）４２に嵌め込み部材５３を嵌め込んで結合部５５を形成し、ラッシング帯３をラッシングレール１に固定する方法を示す。
これらの部品は周知であり、ラッシング帯３を結合部５５を介してラッシングレール１に固定することも周知である。
【００２８】
本実施例にあっては、ラッシング帯３によって箱状体７、すなわち台車５をラッシングレール１に固定するという特徴を有する。
【００２９】
以上のように、ラッシングレール１の嵌め込み孔４２に嵌め込み部材５３がはめ込まれたラッシング帯３が設けられ、平面状の載置部を形成した台座６とこの台座６の一方側の上面に載置されて一体とされ、内部に空間部９の形成された箱状体７を備えて台車５が構成される。台座６の載置部にゲーム機器２０の天板２１が載置され、箱状体７の内部の空間部９に天板の脚部およびゲーム機器の附属品が収納された状態で、天板２１は帯体３１，３２によって箱状体９に固定されており、かつ箱状体９のラッシングレール１に沿って配設されてラッシング帯３によってラッシングレール１に固定される。そして、台座６には貫通孔１３，１４が設けてあって、帯体３１はこの貫通孔１３，１４を貫通し、天板２１を寄り掛ける高さのある箱状体７に固定する。
【００３０】
図９は、帯体１３の一例を示す。帯体１３は、本体６１、本体６１の両端部に設けた係合部６２，６３から構成されるが、この構成自体は周知である。
【００３１】
以上のようにして、車両搭載用のゲーム機器搬送機器１００が構成され、このゲーム機器搬送機器１００がパネル２０２にラッシングレール１、ラッシング帯３を利用して固定されることによって、図１に示すように車両搭載用のゲーム機器搬送機器を搭載した介護予防支援車両２００が構成される。
【００３２】
図１には、１種類のゲーム機器２０を載置する例を示しているが、複数種類のゲーム機器２０を載置して同時に１台の車両で搬送することができる。
【００３３】
車両２００は、各種ゲーム機器２０を分解した形で各地のイベント会場に搬送する。各種ゲーム機器２０はイベント会場で組立てられ、多数の人が参加して楽しくゲームがなされる。ゲーム機器２０自体は高価なものであるが、このようにしてイベント会場に搬送することによって高級感のあるゲームを多数の人が一緒に楽しむことができることになる。
【図面の簡単な説明】
【００３４】
【図１】本発明の実施例の構成を示す図。
【図２】台車構成および台車配置を示す図。
【図３】台車をラッシングレールに固定する方法を示す図。
【図４】ゲーム機器の分解および載置方法を示す図。
【図５】台車がラッシングレールに固定された状態を示す図。
【図６】ラッシングレールの構成図。
【図７】ラッシング帯の構成図。
【図８】ラッシングレールとラッシング帯の結合を示す図。
【図９】帯体の一構成を示す図。
【符号の説明】
【００３５】
１…ラッシングレール、２…嵌め込み用孔、３…ラッシング帯、４…嵌め込み用部材、５…台車、６…台座、７…箱状体、９…空間部、１１…空白部、１３，１４…貫通孔、２０…ゲーム機器、２１…天板、２２…脚部、２３…チップス収容ケース、３１，３２…帯体、１００…ゲーム機器搬送機器、２００…介護予防支援車両（車両）。
【図１】
2008120322.tif 000003
【図２】
2008120322.tif 000004
【図３】
2008120322.tif 000005
【図４】
2008120322.tif 000006
【図５】
2008120322.tif 000007
【図６】
2008120322.tif 000008
【図７】
2008120322.tif 000009
【図８】
2008120322.tif 000010
【図９】
2008120322.tif 000011